(57)【要約】【課題】レイアウト設計及びバリアブルテキスト設計で使用する設計書を一元管理し、全体工程を最適化し、プログラムの再利用性を向上させるバリアブルプリントシステム等を提供する。【解決手段】バリアブルプリントシステム１の設計書作成装置１０は、データレイアウト設計データ６２、レイアウト設計データ６３、テキスト処理設計データ６４、品目情報データ６５を有する設計書情報６１をデータベース６０に登録する。レイアウト設計装置２０は、データベース６０から設計書情報６１を読み出すと、レイアウト設計ツール２１のオブジェクトが自動生成され、レイアウト設計データ６３の編集が可能となる。また、バリアブルテキスト整形装置３０は、データベース６０から設計書情報６１を読み出すと、テキストデータ整形ツール３３のテキスト処理のフローが自動生成され、テキスト処理設計データ６４の編集が可能となる。【選択図】図１
2012113574.tif 000002
【特許請求の範囲】
【請求項１】
印刷物のレイアウトデータ及びトランザクションデータの設計書情報を作成する設計書作成装置と、前記レイアウトデータを生成するレイアウト設計装置と、前記トランザクションデータを生成するバリアブルテキスト整形装置と、前記設計書情報を記憶するデータベースと、から構成されるバリアブルプリントシステムであって、
前記設計書情報は、レイアウト設計データ、テキスト処理設計データ、及び、前記レイアウト設計データと前記テキスト処理設計データを関連付けるデータレイアウト設定データを有し、
前記設計書作成装置は、
前記設計書情報を設定する手段、
を具備し、
前記レイアウト設計装置は、
前記設計書情報に基づいて、前記レイアウト設計データを生成する手段、
を具備し、
前記バリアブルテキスト整形装置は、
前記設計書情報に基づいて、バリアブルテキストデータを整形し、前記トランザクションデータを生成する手段、
を具備することを特徴とするバリアブルプリントシステム。
【請求項２】
前記バリアブルテキスト整形装置は、
前記設計書情報を参照し、前記テキスト処理設計データに定義されている変換処理を示すアイコンを表示する手段と、
ユーザによる前記アイコンの追加、削除、並び替えに応じて、前記データベースを更新する第１の更新手段と、
を具備することを特徴とする請求項１に記載のバリアブルプリントシステム。
【請求項３】
前記レイアウト設計装置は、
前記設計書情報を参照し、前記レイアウト設計データに定義されている印刷物のレイアウトを表示する手段と、
ユーザによる前記印刷物のレイアウトの変更に応じて、前記データベースを更新する第２の更新手段と、
を具備することを特徴する請求項２に記載のバリアブルプリントシステム。
【請求項４】
前記設計書情報は、更に、上書きして保存することができるか否かを示す編集可否情報を有し、
前記設計書作成装置は、更に、
前記編集可否情報を設定する手段、
を具備し、
前記第１の更新手段及び前記第２の更新手段は、前記編集可否情報が可の場合、前記設計書情報を前記データベースに上書きして保存し、前記編集可否情報が否の場合、前記設計書情報を前記データベースに新規登録することを特徴とする請求項３に記載のバリアブルプリントシステム。
【請求項５】
印刷物のレイアウトデータ及びトランザクションデータの設計書情報を作成する設計書作成装置と、前記レイアウトデータを生成するレイアウト設計装置と、前記トランザクションデータを生成するバリアブルテキスト整形装置と、レイアウト設計データ、テキスト処理設計データ、及び、前記レイアウト設計データと前記テキスト処理設計データを関連付けるデータレイアウト設定データを有する設計書情報を記憶するデータベースと、から構成されるバリアブルプリントシステムにおける印刷物設計方法であって、
前記設計書作成装置が、前記設計書情報を設定するステップと、
前記レイアウト設計装置が、前記設計書情報に基づいて、前記レイアウト設計データを生成するステップと、
前記バリアブルテキスト整形装置が、前記設計書情報に基づいて、バリアブルテキストデータを整形し、前記トランザクションデータを生成するステップと、
を含むことを特徴とする印刷物設計方法。
【請求項６】
記憶装置を、レイアウト設計データ、テキスト処理設計データ、及び、前記レイアウト設計データと前記テキスト処理設計データを関連付けるデータレイアウト設定データを有する設計書情報を記憶するデータベースとして機能させるとともに、
複数のコンピュータを、それぞれ、
前記設計書情報を設定する手段、を具備する前記設計書作成装置と、
前記設計書情報に基づいて、前記レイアウト設計データを生成する手段、を具備する前記レイアウト設計装置と、
前記設計書情報に基づいて、バリアブルテキストデータを整形し、前記トランザクションデータを生成する手段、を具備する前記バリアブルテキスト整形装置と、
して機能させるためのプログラム。
【発明の詳細な説明】
【技術分野】
【０００１】
本発明は、顧客毎に異なる内容を印刷するバリアブルプリントシステム等に関するものである。
【背景技術】
【０００２】
顧客に郵送するダイレクトメールの印刷作業には、顧客の属性やニーズに合わせ、顧客毎に異なるものを作成するバリアブルプリントシステムが利用されている。
バリアブルプリントシステムでは、レイアウト担当者がダイレクトメール等の印刷物のレイアウトを設計し、レイアウト指示ファイルを作成する。また、レイアウト担当者とは異なる担当者が、顧客の郵便番号、住所、氏名等の個人情報データを含むバリアブルデータファイルを作成する。そして、プリンタの設置場所において、レイアウト指示ファイルにバリアブルデータファイルを流し込み、印刷用データを作成し、プリンタによって印刷する（例えば、特許文献１参照）。
【先行技術文献】
【特許文献】
【０００３】
【特許文献１】特開平１０−２０８０７１号公報
【発明の概要】
【発明が解決しようとする課題】
【０００４】
レイアウト設計とバリアブルテキストデータ設計は、完全に別のフローで実施される為、特許文献１の図１に示すように、レイアウト設計におけるレイアウト指示書と、バリアブルテキストデータ設計におけるデータ仕様書の二つの異なる仕様書が存在することになる。ここで、レイアウト指示書とデータ仕様書は、一部重複する情報を含む。
しかしながら、特許文献１に記載の仕組みでは、レイアウト設計においてレイアウト指示書に基づくデータ入力が行われ、バリアブルテキストデータ設計においてデータ仕様書に基づくデータ入力が行われるので、一部重複作業が発生し、全体工程が最適化されていない。また、印刷用データを作成する際、重複する情報に関して、整合性が取れていないという不具合が発生することがある。
【０００５】
また、レイアウト設計とバリアブルテキスト設計は、プログラム開発又はツールを利用し、以前作成したプログラムを再利用するか、あるいは、設計書を元に開発者が最初から入力、設定することにより実施されている。プログラムの再利用の方法としては、印刷物が定期品目やリピート品目の場合は、プログラム全体を再利用したり、あるいは、プログラムを部分的に部品として共有の場所に保存し、別品目での処理で再利用したりする。しかしながら、従来は、部品が一元管理されておらず、部品のファイル名からの推測や、開発者の経験則により、偏った再利用が行われているため、信頼性が確認できない上、開発者によって再利用の状況に偏りが出る可能性がある。
【０００６】
本発明は、前述した問題点に鑑みてなされたもので、その目的とすることは、レイアウト設計及びバリアブルテキスト設計において使用される設計書を一元管理し、全体工程を最適化し、プログラムの再利用性を向上させるバリアブルプリントシステム等を提供することである。
【課題を解決するための手段】
【０００７】
前述した目的を達成するために、第１の発明は、印刷物のレイアウトデータ及びトランザクションデータの設計書情報を作成する設計書作成装置と、前記レイアウトデータを生成するレイアウト設計装置と、前記トランザクションデータを生成するバリアブルテキスト整形装置と、前記設計書情報を記憶するデータベースと、から構成されるバリアブルプリントシステムであって、前記設計書情報は、レイアウト設計データ、テキスト処理設計データ、及び、前記レイアウト設計データと前記テキスト処理設計データを関連付けるデータレイアウト設定データを有し、前記設計書作成装置は、前記設計書情報を設定する手段、を具備し、前記レイアウト設計装置は、前記設計書情報に基づいて、前記レイアウト設計データを生成する手段、を具備し、前記バリアブルテキスト整形装置は、前記設計書情報に基づいて、バリアブルテキストデータを整形し、前記トランザクションデータを生成する手段、を具備することを特徴とするバリアブルプリントシステムである。
第１の発明によって、レイアウト設計及びバリアブルテキスト設計において使用される設計書を設計書情報としてデータベースで一元管理し、バリアブルプリントシステムにおける全体工程を最適化し、プログラムの再利用性を向上させることができる。
【０００８】
第１の発明における前記バリアブルテキスト整形装置は、前記設計書情報を参照し、前記テキスト処理設計データに定義されている変換処理を示すアイコンを表示する手段と、ユーザによる前記アイコンの追加、削除、並び替えに応じて、前記データベースを更新する第１の更新手段と、を具備する。
これによって、バリアブルテキスト整形装置はデータベースから設計書情報を取得し、テキスト処理設計データに定義されている変換処理を示すアイコンを自動的に表示するため、ユーザによる初期データの入力作業が不要となり、作業負荷が軽減される。
【０００９】
第１の発明における前記レイアウト設計装置は、前記設計書情報を参照し、前記レイアウト設計データに定義されている印刷物のレイアウトを表示する手段と、ユーザによる前記印刷物のレイアウトの変更に応じて、前記データベースを更新する第２の更新手段と、を具備する。
これによって、レイアウト設計装置はデータベースから設計書情報を取得し、レイアウト設計データに定義されている印刷物のレイアウトを自動的に表示するため、ユーザによる初期データの入力作業が不要となり、作業負荷が軽減される。
【００１０】
第１の発明における前記設計書情報は、更に、上書きして保存することができるか否かを示す編集可否情報を有し、前記設計書作成装置は、更に、前記編集可否情報を設定する手段、を具備し、前記第１の更新手段及び前記第２の更新手段は、前記編集可否情報が可の場合、前記設計書情報を前記データベースに上書きして保存し、前記編集可否情報が否の場合、前記設計書情報を前記データベースに新規登録する。
これによって、印刷物の品目の再利用、編集を制御することができる。
【００１１】
第２の発明は、印刷物のレイアウトデータ及びトランザクションデータの設計書情報を作成する設計書作成装置と、前記レイアウトデータを生成するレイアウト設計装置と、前記トランザクションデータを生成するバリアブルテキスト整形装置と、レイアウト設計データ、テキスト処理設計データ、及び、前記レイアウト設計データと前記テキスト処理設計データを関連付けるデータレイアウト設定データを有する設計書情報を記憶するデータベースと、から構成されるバリアブルプリントシステムにおける印刷物設計方法であって、前記設計書作成装置が、前記設計書情報を設定するステップと、前記レイアウト設計装置が、前記設計書情報に基づいて、前記レイアウト設計データを生成するステップと、前記バリアブルテキスト整形装置が、前記設計書情報に基づいて、バリアブルテキストデータを整形し、前記トランザクションデータを生成するステップと、を含むことを特徴とする印刷物設計方法である。
第２の発明によって、レイアウト設計及びバリアブルテキスト設計において使用される設計書を設計書情報としてデータベースで一元管理し、バリアブルプリントシステムにおける全体工程を最適化し、プログラムの再利用性を向上させることができる。
【００１２】
第３の発明は、記憶装置を、レイアウト設計データ、テキスト処理設計データ、及び、前記レイアウト設計データと前記テキスト処理設計データを関連付けるデータレイアウト設定データを有する設計書情報を記憶するデータベースとして機能させるとともに、複数のコンピュータを、それぞれ、前記設計書情報を設定する手段、を具備する前記設計書作成装置と、前記設計書情報に基づいて、前記レイアウト設計データを生成する手段、を具備する前記レイアウト設計装置と、前記設計書情報に基づいて、バリアブルテキストデータを整形し、前記トランザクションデータを生成する手段、を具備する前記バリアブルテキスト整形装置と、して機能させるためのプログラムである。
第３の発明のプログラムを汎用的なコンピュータにインストールすることで、第１の発明のバリアブルプリントシステムを実現することができる。
【発明の効果】
【００１３】
本発明は、レイアウト設計及びバリアブルテキスト設計において使用される設計書を一元管理し、全体工程を最適化し、プログラムの再利用性を向上させるバリアブルプリントシステム等を提供することができる。
【図面の簡単な説明】
【００１４】
【図１】バリアブルプリントシステム１の概要を示す図
【図２】設計書作成装置１０、レイアウト設計装置２０、バリアブルテキスト整形装置３０、バリアブル画像編集装置４０、合成装置５０のハードウエア構成図
【図３】データベース６０の詳細を示す図
【図４】設計書作成装置１０における設計書情報６１の登録処理の流れを示すフローチャート
【図５】デジタル設計書作成ツール画面１００の再利用タブ１０５の一例を示す図
【図６】デジタル設計書作成ツール画面１００のデータレイアウト設定タブ１０１の一例を示す図
【図７】デジタル設計書作成ツール画面１００のレイアウト設計タブ１０２の一例を示す図
【図８】デジタル設計書作成ツール画面１００のテキスト処理設計タブ１０３の一例を示す図
【図９】行削除設定（空白）画面１６０の一例を示す図
【図１０】デジタル設計書作成ツール画面１００の品目情報タブ１０４の一例を示す図
【図１１】設計書情報６１のＸＭＬファイルの一例を示す図
【図１２】レイアウト設計装置２０におけるレイアウト設計データの編集処理の流れを示すフローチャート
【図１３】レイアウト設計ツール画面２００の一例を示す図
【図１４】レイアウト設計ツール画面２００の一例を示す図
【図１５】バリアブルテキスト整形装置３０におけるテキスト処理設計データの編集処理の流れを示すフローチャート
【図１６】テキストデータ整形ツール画面２１０の一例を示す図
【図１７】テキストデータ整形ツール画面２１０の一例を示す図
【発明を実施するための形態】
【００１５】
以下、添付図面に基づいて、本発明に係るバリアブルプリントシステム等の好適な実施形態について詳細に説明する。尚、以下の説明及び添付図面において、略同一の機能構成を有する構成要素については、同一の符号を付することにより重複説明を省略することにする。
【００１６】
図１は、バリアブルプリントシステム１の概要を示す図である。
バリアブルプリントシステム１は、設計書作成装置１０、レイアウト設計装置２０、バリアブルテキスト整形装置３０、バリアブル画像編集装置４０、合成装置５０、データベース６０、プリンタ７０等を有する。
【００１７】
設計書作成装置１０は、データベース６０に保存する設計書情報６１を生成する。設計書作成装置１０は、デジタル設計書作成ツール１１を有する。
デジタル設計書作成ツール１１は、従来のレイアウト設計書と印字設計書の二つの設計書に相当するデータを作成し、設計書情報６１としてデータベース６０に登録する。データベース６０は、設計書作成装置１０、レイアウト設計装置２０、バリアブルテキスト整形装置３０がデータを読み書きすることが可能な任意の記憶装置に記憶される。
データベース６０の詳細は後述する。
【００１８】
レイアウト設計装置２０は、設計書情報６１、レイアウト定義ファイル２２に基づいてレイアウトデータ２４を生成する。レイアウト設計装置２０は、レイアウト設計ツール２１、変換ツール２３を有する。
【００１９】
レイアウト設計ツール２１は、ユーザがプログラミングを行うことなく、レイアウト設計を行うためのツールである。即ち、レイアウト設計装置２０は、ＧＵＩを利用してユーザが各種情報を設定すると、レイアウト設計ツール２１の機能によって、バリアブルテキスト整形装置３０に出力する第１トランザクションデータ３２、ならびにレイアウト定義ファイル２２を生成する。
ここで、「トランザクションデータ」とは、印刷データの中で、画像やレイアウトを除くデータである。例えば、ＶＩＰＰ（Ｖａｒｉａｂｌｅ  Ｄａｔａ  Ｉｎｔｅｌｌｉｇｅｎｔ  ＰｏｓｔＳｃｒｉｐｔ  ＰｒｉｎｔＷａｒｅ）言語では、独自のメカニズムを使用して画像をキャッシュしている。ＶＩＰＰ言語では、（１）コンテンツを内部に埋め込むネイティブモード、（２）画像・レイアウト（ＤＢＭ）とトランザクションデータ（ＤＢＦ）とを別々に持ち、ＲＩＰ上で結合させるＶＩＰＰ  ＰＲＯ（ＤａｔａＢａｓｅ）モードが存在する。本発明の実施の形態では、ＶＩＰＰ言語の（２）のモードのように、画像・レイアウトとトランザクションデータとを別々に管理する。
以下、単に「レイアウト」と記載する場合には、印刷物の紙面の割付を意味し、「データレイアウト」と記載する場合には、データに関する各種の定義を意味するものとする。
【００２０】
第１トランザクションデータ３２は、合成装置５０に対する命令であるコマンドや、レイアウト設計において使用されるカラム一覧等を有する。
レイアウト定義ファイル２２は、使用するプリンタ７０の機種、プリンタ制御コードの種類に依存しない汎用的なレイアウトデータある。
変換ツール２３は、レイアウトデータをプリンタ７０に応じたデータに変換する為のツールである。即ち、レイアウト設計装置２０は、変換ツール２３の機能によって、汎用的なレイアウト定義ファイル２２を、バリアブルプリントシステム１において使用されるプリンタ７０のプリンタ制御コードに適した形式に変換し、レイアウトデータ２４を生成する。
【００２１】
バリアブルテキスト整形装置３０は、設計書情報６１、バリアブルテキストデータ３１、第１トランザクションデータ３２に基づいて、第２トランザクションデータ５２を生成する。バリアブルテキスト整形装置３０は、テキストデータ整形ツール３３を有する。
バリアブルテキストデータ３１は、顧客を担当する店舗番号、顧客の郵便番号、住所、氏名等の情報である。
テキストデータ整形ツール３３は、トランザクションデータの整形を行う為のツールである。即ち、バリアブルテキスト整形装置３０は、テキストデータ整形ツール３３の機能によって、データベース６０から設計書情報６１、バリアブルテキストデータ３１、第１トランザクションデータ３２に基づいてバリアブルテキストデータ設計を行う。テキストデータ整形ツール３３の機能の詳細は後述する。
【００２２】
バリアブル画像編集装置４０は、バリアブル画像素材データ４１に基づいて、顧客毎に異なるバリアブル画像である画像データ５３を生成する。バリアブル画像編集装置４０は、ＤＴＰソフト４２を有する。
ＤＴＰソフト４２は、画像を編集する為のソフトウエアである。即ち、バリアブル画像編集装置４０は、ＤＴＰソフト４２の機能によって、バリアブル画像素材データ４１の画像編集処理を行い、画像データ５３を生成する。
【００２３】
合成装置５０は、印刷データ生成ツール５４を有する。
印刷データ生成ツール５４は、プリンタ７０に応じた印刷データを生成する為のツールである。即ち、合成装置５０は、印刷データ生成ツール５４の機能によって、レイアウト設計装置２０により生成されたレイアウトデータ５１に、バリアブルテキスト整形装置３０により生成された第２トランザクションデータ５２と、バリアブル画像編集装置４０により生成された画像データ５３を顧客毎に合成し、プリンタ７０に印刷を指示する。
【００２４】
図２は、設計書作成装置１０、レイアウト設計装置２０、バリアブルテキスト整形装置３０、バリアブル画像編集装置４０、合成装置５０を実現するコンピュータのハードウエア構成図である。図２のハードウエア構成は一例であり、用途、目的に応じて様々な構成を採ることが可能である。
コンピュータは、制御部７１、記憶部７２、メディア入出力部７３、通信制御部７４、入力部７５、表示部７６、周辺機器Ｉ／Ｆ部７７等がバス７８を介して接続される。
【００２５】
制御部７１は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等で構成される。
ＣＰＵは、ＲＯＭ、記憶部７２等に格納されるプログラムをＲＡＭ上のワークメモリ領域に呼び出して実行し、バス７８を介して接続された各装置を駆動制御し、コンピュータが行う処理を実現する。
ＲＯＭは、不揮発性メモリであり、コンピュータのブートプログラムやＢＩＯＳ等のプログラム、データ等を恒久的に保持している。
ＲＡＭは、揮発性メモリであり、記憶部７２、ＲＯＭ、記憶媒体等からロードしたプログラム、データ等を一時的に保持するとともに、制御部７１が各種処理を行うために使用するワークエリアを備える。
【００２６】
記憶部７２は、ＨＤＤ（ハードディスクドライブ）であり、制御部７１が実行するプログラム、プログラム実行に必要なデータ、ＯＳ（Ｏｐｅｒａｔｉｎｇ  Ｓｙｓｔｅｍ）等が格納される。プログラムに関しては、ＯＳに相当する制御プログラムや、アプリケーションプログラム、ファイル等が格納されている。
これらの各プログラムコードは、制御部７１により必要に応じて読み出されてＲＡＭに移され、ＣＰＵにより各種の手段として実行される。
【００２７】
メディア入出力部７３は、記録媒体のデータの入出力を行うドライブ装置であり、例えば、フロッピー（登録商標）ディスクドライブ、ＣＤドライブ（−ＲＯＭ、−Ｒ、−ＲＷ等）、ＤＶＤドライブ（−ＲＯＭ、−Ｒ、−ＲＷ等）、ＭＯドライブ等のメディア入出力装置を有する。
通信制御部７４は、通信制御装置、通信ポート等を有し、ネットワーク１３を介した通信を媒介する通信インタフェースであり、他のコンピュータ間との通信制御を行う。
【００２８】
入力部７５は、データの入力を行い、例えば、キーボード、マウス等のポインティングデバイス、テンキー等の入力装置を有する。入力部７５を介して、コンピュータに対して、操作指示、動作指示、データ入力等を行うことができる。
表示部７６は、ＣＲＴ（Ｃａｔｈｏｄｅ  Ｒａｙ  Ｔｕｂｅ）モニタ、液晶パネル等のディスプレイ装置、ディスプレイ装置と連携してビデオ機能を実現するための論理回路等（ビデオアダプタ等）を有する。
周辺機器Ｉ／Ｆ部７７は、周辺機器を接続するためのＵＳＢ（Ｕｎｉｖｅｒｓａｌ  Ｓｅｒｉａｌ  Ｂｕｓ）ポート等である。
バス７８は、各装置間の制御信号、データ信号等の授受を媒介する経路である。
【００２９】
図３は、データベース６０の詳細を示す図である。
データベース６０は、データレイアウト設計データ６２、レイアウト設計データ６３、テキスト処理設計データ６４、品目情報データ６５を有する設計書情報６１を保持する。
データレイアウト設計データ６２は、レイアウト設計に用いるデータとテキスト処理設計に用いるデータを関連付けるデータであり、バリアブルテキストデータ３１のカラム名、レイアウト設計において使用されるカラム等の情報を有する。
レイアウト設計データ６３は、印刷物のレイアウト情報であり、印字項目の印字位置、フォント、サイズ、属性情報等を有する。
テキスト処理設計データ６４は、テキストデータ整形ツール３３で行うテキスト整形の変換処理の処理順、エラー文字、空白、文字数等のチェック条件、ソート条件、バーコード付加処理等の変換処理の詳細情報を有する。
品目情報データ６５は、印刷物の品目毎の得意先、品目名、担当、編集可否情報等の情報を有する。
【００３０】
次に、図４から図１１を参照しながら、バリアブルプリントシステム１における設計書情報６１の登録処理の流れについて説明する。
図４は、設計書作成装置１０における設計書情報６１の登録処理の流れを示すフローチャートである。
ユーザは、設計書作成装置１０でデジタル設計書作成ツール１１を起動し、設計書の作成を指示すると、設計書作成装置１０はユーザに対して設計書情報を新規作成するか、あるいは、再利用するかを問い合わせる。ユーザが再利用を指定した場合（ステップＳ１０１の再利用）、設計書作成装置１０は、デジタル設計書作成ツール画面を表示し、ユーザにより入力された条件に基づいてデータベース６０の設計書情報６１を検索し（ステップＳ１０２）、設計書情報６１の一覧を取得し（ステップＳ１０３）、ユーザに対して表示する。ユーザは、設計書情報６１の一覧から再利用する設計書情報を選択する（ステップＳ１０４）。
【００３１】
図５は、デジタル設計書作成ツール画面１００の再利用タブ１０５の一例を示す図である。
デジタル設計書作成ツール画面１００は、データレイアウト設計タブ１０１、レイアウト設計タブ１０２、テキスト処理設計タブ１０３、品目情報タブ１０４、再利用タブ１０５を有する。ユーザが設計書情報の再利用を行う場合、設計書作成装置１０はデジタル設計書作成ツール画面１００の再利用タブ１０５を表示する。
【００３２】
デジタル設計書作成ツール画面１００の再利用タブ１０５は、得意先１０６、品目名１０７、担当１０８、一覧取得ボタン１０９、設計書情報一覧１１０等を有する。
ユーザは、設計書情報６１の再利用をする場合、得意先１０６、品目名１０７、担当１０８の中の少なくとも一つに検索条件を入力し、一覧取得ボタン１０９を押下すると、設計書作成装置１０は、データベース６０から検索条件を満足する設計書情報６１の一覧を取得し、設計書情報一覧１１０に表示する。ユーザは、設計書情報一覧１１０から再利用する設計書情報６１を選択する。
編集可否情報が「可」の場合、ユーザは、設計書情報６１を編集し、元のデータに上書きして保存することができる。一方、編集可否情報が「否」の場合、ユーザは、元のデータに上書きして保存することはできず、新規の設計書情報６１として登録する。
【００３３】
ユーザが再利用を指定した場合（ステップＳ１０１の再利用）、設計書作成装置１０は、ユーザにより選択された設計書情報６１の内容をデータレイアウト設定タブ１０１、レイアウト設計タブ１０２、テキスト処理設計タブ１０３、品目情報タブ１０４にそれぞれ設定する。
ユーザが新規作成を指定した場合（ステップＳ１０１の新規作成）、設計書作成装置１０は、データレイアウト設定タブ１０１、レイアウト設計タブ１０２、テキスト処理設計タブ１０３、品目情報タブ１０４をデータなしの状態とするか、あるいは、デフォルト値を設定する。
【００３４】
図４の説明に戻る。
設計書作成装置１０は、デジタル設計書ツール画面１００のデータレイアウトタブ１０１を表示し、ユーザはデータレイアウト設定データ６２を編集する（ステップＳ１０５）。
【００３５】
図６は、デジタル設計書作成ツール画面１００のデータレイアウト設定タブ１０１の一例を示す図である。
デジタル設計書ツール画面１００のデータレイアウト設定タブ１０１は、入力データレイアウト１２１、出力データレイアウト１２５、カラム追加ボタン１２２、１２６、カラム削除ボタン１２３、１２７、ＣＳＶ（Ｃｏｍｍｍａ−Ｓｅｐａｒａｔｅｄ  Ｖａｌｕｅｓ）ヘッダ読込みボタン１２４、１２８等を有する。
【００３６】
入力データレイアウト１２１は、入力するバリアブルテキストデータ３１のヘッダ情報であり、「お客様名」、「郵便番号」、「住所１」、「住所３」、「住所２」等のカラム名の一覧を有する。通常、入力データレイアウト１２１のカラム名は、バリアブルテキストデータ３１の作成者（印刷物の発注者）により異なる。
出力データレイアウト１２５は、バリアブルテキスト整形装置３０により出力される第２トランザクションデータ５２のヘッダ情報であり、「ｎａｍｅ」、「ｚｉｐｃｏｄｅ」、「ａｄｄｒｅｓｓ１」、「ａｄｄｒｅｓｓ２」、「ａｄｄｒｅｓｓ３」等のカラム名の一覧を有する。
入力データレイアウト１２１と出力データレイアウト１２５の各カラム名は、それぞれ対応付けられる。図６に示す例では、「お客様名」と「ｎａｍｅ」、「郵便番号」と「ｚｉｐｃｏｄｅ」、「住所１」と「ａｄｄｒｅｓｓ１」、「住所３」と「ａｄｄｒｅｓｓ２」、「住所２」と「ａｄｄｒｅｓｓ３」が対応付けられる。
【００３７】
ユーザによってカラム追加ボタン１２２、１２６が押下されると、設計書作成装置１０は、それぞれ入力データレイアウト１２１、出力データレイアウト１２６に新しいカラム名を追加して表示するとともに、データベース６０に記憶される設計書情報６１のデータレイアウト設計データ６２に反映する。
ユーザによってカラム削除ボタン１２３、１２７が押下されると、設計書作成装置１０は、それぞれ入力データレイアウト１２１、出力データレイアウト１２６から選択されたカラム名を削除して表示するとともに、データベース６０に記憶される設計書情報６１のデータレイアウト設計データ６２に反映する。
ユーザによって任意のファイルが指定され、ＣＳＶヘッダ読込みボタン１２４、１２８が押下されると、設計書作成装置１０は、指定されたファイルのヘッダを読み込んで、それぞれ入力データレイアウト１２１、出力データレイアウト１２６に表示するとともに、データベース６０に記憶される設計書情報６１のデータレイアウト設計データ６２に反映する。
【００３８】
図４の説明に戻る。
設計書作成装置１０は、デジタル設計書ツール画面１００のレイアウト設計タブ１０２を表示し、ユーザはレイアウト設計データ６３を編集する（ステップＳ１０６）。
【００３９】
図７は、デジタル設計書作成ツール画面１００のレイアウト設計タブ１０２の一例を示す図である。
デジタル設計書ツール画面１００のレイアウト設計タブ１０２は、固定印字項目タブ１３１、固定画像項目タブ１３２、可変印字項目タブ１３３を有する。
【００４０】
固定印字項目タブ１３１は、顧客毎ではなく、全ての印刷物に固定して印刷するテキストデータに関する情報を設定するための画面である。
固定画像項目タブ１３２は、顧客毎ではなく、全ての印刷物に固定して印刷する画像データに関する情報を設定するための画面である。
可変印字項目タブ１３３は、顧客毎に異なるバリアブルテキストデータ３１を印字するフォント、サイズ、位置、最大文字数等の情報を設定するための画面である。
【００４１】
可変印字項目タブ１３３は、項目ＮＯ１３４、項目名１３５、フォント名１３６、サイズ１３７、Ｘ１３８、Ｙ１３９、文字数１４０、属性１４１、揃え１４２、条件１４３、備考１４４、項目追加ボタン１４５、項目削除ボタン１４６等を有する。
項目ＮＯ１３４は、バリアブルテキストデータ３１の項目の一意な番号である。
項目名１３５は、バリアブルテキストデータ３１の項目の名前であり、「大住所１」、「大住所２」、「大住所３」、「小住所１」等の値を有する。
フォント名１３６は、バリアブルテキストデータ３１の項目を印字するフォント名であり、「ＭＳ明朝」等の値を有する。
サイズ１３７は、バリアブルテキストデータ３１の項目を印字する文字サイズであり、「９ｐｔ」、「７ｐｔ」等の値を有する。
【００４２】
Ｘ１３８、Ｙ１３９は、バリアブルテキストデータ３１の項目が印字されるテキストボックス（矩形オブジェクト）の左上の頂点に係るＸ座標、Ｙ座標の値である。
文字数１４０は、バリアブルテキストデータ３１の項目の最大印字可能文字数である。
属性１４１は、バリアブルテキストデータ３１の項目の属性を示すものであり、１ｂｙｔｅ文字、あるいは、２ｂｙｔｅ文字であることを示す。
揃え１４２は、バリアブルテキストデータ３１の項目が印字されるテキストボックス（矩形オブジェクト）内の揃え位置を示すものであり、「左」、「中央」、「右」揃え等の値を有する。
条件１４３は、バリアブルテキストデータ３１の項目を印字する条件を示すものである。ユーザによって設定ボタンが押下されると、設計書作成装置１０は、条件入力画面を表示する。ユーザは、条件入力画面によって、印字する条件（例えば、所定の項目がＮＵＬＬでない等）を入力する。
備考１４４は、バリアブルテキストデータ３１の項目に関する備考を示すものである。ユーザによって設定ボタンが押下されると、設計書作成装置１０は、備考入力画面を表示する。ユーザは、備考入力画面によって、任意の文字列を入力する。
【００４３】
項目追加ボタン１４５は、印字する項目を追加するためのボタンである。
項目削除ボタン１４６は、可変印字項目タブ１３３で選択された項目を削除するためのボタンである。
【００４４】
設計書作成装置１０は、データベース６０に記憶される設計書情報６１のレイアウト設計データ６３を参照し、項目ＮＯ１３４、項目名１３５、フォント名１３６、サイズ１３７、Ｘ１３８、Ｙ１３９、文字数１４０、属性１４１、揃え１４２、条件１４３、備考１４４に、それぞれ具体的な値を表示する。
ユーザによる編集結果は、データベース６０に反映される。
【００４５】
図４の説明に戻る。
設計書作成装置１０は、デジタル設計書ツール画面１００のテキスト処理設計タブ１０３を表示し、ユーザはテキスト処理設計データ６４を編集する（ステップＳ１０７）。
【００４６】
図８は、デジタル設計書作成ツール画面１００のテキスト処理設計タブ１０３の一例を示す図である。
デジタル設計書ツール画面１００のテキスト処理設計タブ１０３は、処理順１５１、処理名称１５２、設定１５３、プルダウンメニュー１５４、処理追加ボタン１５５、処理削除ボタン１５６等を有する。
【００４７】
テキスト処理設計タブ１０３は、バリアブルテキスト整形装置３０がバリアブルテキストデータ３１のテキスト整形の変換処理を設定するための画面である。
処理順１５１は、変換処理を行う順番を示す。
処理名称１５２は、変換処理の名称を示す。
プルダウンメニュー１５４は、変換処理の一覧である。ユーザは、プルダウンメニュー１５４の中から、所望の変換処理を選択する。
設定１５３は、各変換処理の詳細設定ボタンを表示する為の欄である。
処理追加ボタン１５５は、変換処理を追加するためのボタンである。
処理削除ボタン１５６は、変換処理を削除するためのボタンである。
【００４８】
ユーザが、デジタル設計書作成ツール画面１００のテキスト処理設計タブ１０３において、例えば、行削除（空白）の変換処理の追加を指示すると、設計書作成装置１０は、詳細設定を行う為の画面を表示する。
ここで、行削除（空白）の変換処理とは、空白のみを含む行を削除するテキスト整形処理を意味する。
【００４９】
図９は、行削除設定（空白）画面１６０の一例を示す図である。
行削除設定（空白）画面１６０は、入力フィールド１６１、対象フィールド１６２、追加ボタン１６３、削除ボタン１６４、ＯＫボタン１６５、キャンセルボタン１６６等を有する。
【００５０】
入力フィールド１６１は、行削除（空白）の変換処理の対象となり得るフィールドの中で対象となっていないフィールドの一覧を示す。
対象フィールド１６２は、行削除（空白）の変換処理の対象とするフィールドの一覧を示す。
追加ボタン１６３は、入力フィールド１６１において選択されているフィールドを対象フィールド１６２に追加するためのボタンである。
削除ボタン１６４は、対象フィールド１６２において選択されているフィールドを入力フィールド１６１に戻すためのボタンである。
ＯＫボタン１６５は、行削除設定（空白）画面１６０において設定されている内容をデータベース６０に記憶させるためのボタンである。
キャンセルボタン１６６は、行削除設定（空白）画面１６０において設定されている内容をデータベース６０に記憶させずに、行削除設定（空白）画面１６０を閉じるためのボタンである。
テキスト処理設計タブ１０３における設計内容は、データベース６０に保持される設計書情報６１のテキスト処理設計データ６４に記憶される。
【００５１】
図４の説明に戻る。
設計書作成装置１０は、デジタル設計書ツール画面１００の品目情報タブ１０４を表示し、ユーザは品目情報データ６５を編集する（ステップＳ１０８）。
【００５２】
図１０は、デジタル設計書作成ツール画面１００の品目情報タブ１０４の一例を示す図である。
デジタル設計書ツール画面１００の品目情報タブ１０４は、印刷物の品目情報を設定するための画面であり、得意先１０６、品目名１０７、担当１０８、編集可否情報チェックボックス１１１、ＤＢ登録ボタン１１２等を有する。
【００５３】
得意先１０６は、印刷物の品目毎の得意先の情報を示す。
品目名１０７は、印刷物の品目毎の名前を示す。
担当１０８は、印刷物の品目に関する設計書情報６１を編集した担当者の氏名を示す。
編集可否情報チェックボックス１１１は、印刷物の品目に関する設計書情報６１を編集できるかどうかを示す。編集可否情報チェックボックス１１１がチェックされていない場合、ユーザは、その品目の設計書情報６１を編集して上書きすることができる。編集可否情報チェックボックス１１１がチェックされている場合、ユーザは、その品目の設計書情報６１を上書きすることはできず、新規の設計書情報６１としてデータベース６０に登録する。バリアブルプリントシステム１では、編集可否情報により、設計書情報６１の再利用を許可するか、あるいは、許可しないかを制御することができる。
尚、ステップＳ１０１において、ユーザが再利用を指定している場合（ステップＳ１０１の再利用）、再利用タブ１０５において選択された設計書情報６１の編集可否情報が「否」であれば、設計書作成装置１０は、編集可否情報チェックボックス１１１をチェックされている状態のまま固定する。即ち、ユーザはチェックを外すことができない。
ＤＢ登録ボタン１１２は、品目情報タブ１０４における設定内容をデータベース６０に記憶させる為のボタンである。品目情報タブ１０４における設定内容は、データベース６０に保持される設計書情報６１の品目情報データ６５に記憶される。
【００５４】
図１１は、設計書情報６１のＸＭＬファイルの一例を示す図である。
設計書情報６１のＸＭＬファイルは、品目情報データ部分１７１、データレイアウト設計データ部分１７２、レイアウト設計データ部分１７３、テキスト処理設計データ部分１７４等に分けられる。
品目情報データ部分１７１は、品目情報データ６５に対応する。データレイアウト設計データ部分１７２は、データレイアウト設定データ６２に対応する。レイアウト設計データ部分１７３は、レイアウト設計データ６３に対応する。テキスト処理設計データ部分１７４は、テキスト処理設計データ６４に対応する。
【００５５】
このように、バリアブルプリントシステム１の設計書作成装置１０は、レイアウト設計及びバリアブルテキスト設計で使用する設計書情報６１を一元管理する。ユーザは、設計書作成装置１０において、レイアウト設計書２０において使用されるレイアウト設計データ６３、バリアブル整形装置３０において使用されるテキスト処理設計データ６４、レイアウト設計データ６３とテキスト処理設計データ６４の項目を対応付けるデータレイアウト設計データ６２、品目毎の情報を保持する品目情報データ６５を一括して編集することができる。
【００５６】
次に、図１２から図１４を参照しながら、レイアウト設計装置２０におけるレイアウト設計データの編集処理の流れについて説明する。
図１２は、レイアウト設計装置２０におけるレイアウト設計データの編集処理の流れを示すフローチャートである。レイアウト設計装置２０では、設計書情報６１のレイアウト設計データ６３のみを編集することができる。
【００５７】
ユーザがレイアウト設計装置２０でレイアウト設計ツール２１を起動すると、レイアウト設計装置２０は、ユーザにより指定された検索条件に基づいて、データベース６０から設計書情報６１を検索し（ステップＳ２０１）、設計書情報６１の一覧を取得し（ステップＳ２０２）、設計書情報６１の一覧を表示する。
設計書情報６１の一覧からユーザが設計書情報を選択すると（ステップＳ２０３）、レイアウト設計装置２０は選択された設計書情報６１をデータベース６０から読み取り（ステップＳ２０４）、レイアウト設計データ画面２００を表示する（ステップＳ２０５）。ユーザが、レイアウト設計データ６３の追加編集を行う場合（ステップＳ２０６のＹｅｓ）、レイアウト設計装置２０に表示されたレイアウト設計データ画面２００でレイアウト設計データ６３の編集を行う（ステップＳ２０７）。
【００５８】
図１３は、レイアウト設計ツール画面２００の一例を示す図である。
レイアウト設計ツール画面２００は、住所オブジェクト２０１、宛名オブジェクト２０２、バーコードオブジェクト２０３、ＱＲ（Ｑｕｉｃｋ  Ｒｅｓｐｏｎｓｅ）コードオブジェクト２０４、案内タイプオブジェクト２０５、車画像オブジェクト２０６、設定済みオブジェクト一覧２０７等を有する。
【００５９】
住所オブジェクト２０１、宛名オブジェクト２０２、バーコードオブジェクト２０３、ＱＲオブジェクト２０４、案内タイプオブジェクト２０５、車画像オブジェクト２０６は、顧客毎に異なる。
設定済みオブジェクト一覧２０７の項目名の前のアルファベットは、オブジェクトのタイプを表し、「Ｔ」はテキスト、「Ｉ」はイメージ、「Ｑ」はＱＲコード、「Ｂ」はバーコードを意味する。
レイアウト設計装置２０は、データベース６０に記憶される設計書情報６１のレイアウト設計データ６３を参照し、設定済みオブジェクト一覧２０７の各オブジェクトである住所オブジェクト２０１、宛名オブジェクト２０２、バーコードオブジェクト２０３、ＱＲコードオブジェクト２０４、案内タイプオブジェクト２０５、車画像オブジェクト２０６を表示する。
【００６０】
ユーザは、図１３に示すレイアウト設計ツール画面２００において、各オブジェクトの配置を変更したり、オブジェクトを追加、削除したりすることにより、ダイレクトメール等の印刷物に関するレイアウト設計を行う。ユーザは、住所オブジェクト２０１、宛名オブジェクト２０２、バーコードオブジェクト２０３、ＱＲコードオブジェクト２０４、案内タイプオブジェクト２０５、車画像オブジェクト２０６等のオブジェクトに対してドラッグ＆ドロップ等の操作することにより、レイアウト設計データ６３を編集することができる。
【００６１】
図１４は、図１３のレイアウト設計ツール画面２００における編集例を示す。図１４のレイアウト設計ツール画面２００では、バーコードオブジェクト２０３とＱＲコードオブジェクト２０４の配置が変更されている。
レイアウト設計装置２０は、バーコードオブジェクト２０３とＱＲコードオブジェクト２０４の配置の変更を、データベース６０に記憶される設計書情報６１のレイアウト設計データ６３に反映させる。具体的には、レイアウト設計装置２０は、バーコードオブジェクト２０３とＱＲコードオブジェクト２０４の左上頂点のＸ座標、Ｙ座標のデータを変更する。
【００６２】
図１２の説明に戻る。
レイアウト設計データ６３の編集終了後、設計書情報６１の品目情報データ６５で設定された編集可否情報が「可」の場合（ステップＳ２０８のＹｅｓ）、レイアウト設計装置２０は、編集した設計書情報６１をデータベース６０に上書き更新する（ステップＳ２０９）。上書き更新した場合、図１１に示す設計書情報６１のＸＭＬファイルのレイアウト設計部分１７３のデータが書き換えられる。
一方、品目情報データ６５で設定された編集可否情報が「否」の場合（ステップＳ２０８のＮｏ）、レイアウト設計装置２０は、編集した設計書情報６１をデータベース６０に新規登録する（ステップＳ２１０）。
【００６３】
このように、レイアウト設計装置２０は、データベース６０から設計書情報６１を取得し、設計書情報６１を読み込むことにより、各オブジェクトを自動的に表示部７６に表示する。また、レイアウト設計装置２０は、ユーザの編集指示に応じてデータベース６０を更新する。具体的には、レイアウト設計装置２０は、設計書情報６１に設定されている編集可否情報に従って、設計書情報６１をデータベース６０に上書き更新、あるいは、新規登録する。
【００６４】
次に、図１５から図１７を参照しながら、バリアブルテキスト整形装置３０におけるテキスト整形の変換処理の流れについて説明する。
図１５は、バリアブルテキスト整形装置３０におけるテキスト処理設計データの編集処理の流れを示すフローチャートである。バリアブルテキスト整形装置３０では、設計書情報６１のテキスト処理設計データ６４のみを編集することができる。
【００６５】
ユーザがバリアブルテキスト整形装置３０でテキストデータ整形ツール３３を起動すると、バリアブルテキスト整形装置３０は、ユーザにより指定された検索条件に基づいて、データベース６０から設計書情報６１を検索し（ステップＳ３０１）、設計書情報６１の一覧を取得し（ステップＳ３０２）、設計書情報６１の一覧を表示する。
設計書情報６１の一覧からユーザが設計書情報を選択すると（ステップＳ３０３）、バリアブルテキスト整形装置３０は選択された設計書情報６１をデータベース６０から読み取り（ステップＳ３０４）、テキストデータ整形ツール画面２１０を表示する（ステップＳ３０５）。ユーザが、テキスト処理設計データ６４の追加編集を行う場合（ステップＳ３０６のＹｅｓ）、バリアブルテキスト整形装置３０に表示されたテキストデータ整形ツール画面２１０でテキスト処理設計データ６４の編集を行う（ステップＳ３０７）。
【００６６】
図１６は、テキストデータ整形ツール画面２１０の一例を示す図である。
テキストデータ整形ツール画面２１０は、バリアブルテキストデータ３１に対して行うテキスト整形の変換処理を表すアイコンを表示するための画面である。図１６のテキストデータ整形ツール画面２１０には、外字アイコン２１１ａ、空白アイコン２１１ｂ、文字数アイコン２１１ｃ、テキスト処理アイコン一覧２１２等が表示されている。
【００６７】
外字アイコン２１１ａは、外字を削除するテキスト整形の変換処理を表すアイコンである。
空白アイコン２１１ｂは、空白を削除するテキスト整形の変換処理を表すアイコンである。
文字数アイコン２１１ｃは、カラム毎の最大文字数を超えている行を抽出するテキスト整形の変換処理を表すアイコンである。
図１６に示すテキスト整形の変換処理のフローでは、入力されたバリアブルテキストデータ３１に対して、外字処理、空白処理、文字数処理の順に処理が行われる。
テキスト処理アイコン一覧２１２は、プログラムが定義されているテキスト整形の変換処理を示すアイコンの一覧である。
【００６８】
バリアブルテキスト整形装置３０は、データベース６０に記憶される設計書情報６１のテキスト処理設計データ６４を参照し、設定されている変換処理のアイコン（図１６の例では、外字アイコン２１１ａ、空白アイコン２１１ｂ、文字数アイコン２１１ｃ）を表示する。
【００６９】
ユーザは、テキストデータ整形ツール画面２１０において、テキスト処理アイコン一覧２１２内のアイコンをドラッグ＆ドロップ等の操作により、バリアブルテキストデータ３１に対して行うテキスト整形の変換処理を行うフローにアイコンを挿入して追加したり、テキスト整形の変換処理のフローのアイコンを削除、並び替えしたりすることにより、テキスト整形の変換処理の編集を指示する。そして、バリアブルテキスト整形装置３０は、ユーザの指示に応じて、データベース６０に保持される設計書情報６１のテキスト処理設計データ６４を更新する。
【００７０】
図１７は、図１６のテキストデータ整形ツール画面２１０における編集例を示す。図１７のテキストデータ整形ツール画面２１０では、外字アイコン２１１ａ、空白アイコン２１１ｂ、文字数アイコン２１１ｃからなるテキスト整形の変換処理のフローの前に、ソートアイコン２１１ｄが追加されている。
ソートアイコン２１１ｄは、所定の規則に従って並び替えるテキスト整形の変換処理を表すアイコンである。
変更されたテキスト整形の変換処理のフローでは、入力されたバリアブルテキストデータ３１に対して、ソート処理、外字処理、空白処理、文字数処理の順でテキスト整形の変換処理が行われる。
【００７１】
図１５の説明に戻る。
テキスト処理設計データ６４の編集終了後、設計書情報６１の品目情報データ６５で設定された編集可否情報が「可」の場合（ステップＳ３０８のＹｅｓ）、バリアブルテキスト整形装置３０は、編集した設計書情報６１をデータベース６０に上書き更新する（ステップＳ３０９）。上書き更新した場合、図１１に示す設計書情報６１のＸＭＬファイルのテキスト処理設計部分１７４のデータが書き換えられる。
一方、品目情報データ６５で設定された編集可否情報が「否」の場合（ステップＳ３０８のＮｏ）、バリアブルテキスト整形装置３０は、編集した設計書情報６１をデータベース６０に新規登録する（ステップＳ３１０）。
【００７２】
このように、バリアブルテキスト整形装置３０は、データベース６０から設計書情報６１を取得し、設計書情報６１を読み込むことによりテキスト整形の変換処理のフローを自動的に表示する。また、バリアブルテキスト整形装置３０は、ユーザの編集指示に応じてデータベース６０を更新する。具体的には、バリアブルテキスト整形装置３０は、設計書情報６１に設定された編集可否情報に従って、設計書情報６１をデータベース６０に上書き更新、あるいは、新規登録する。
【００７３】
以上説明したように、本発明のバリアブルプリントシステム１では、設計書作成装置１０は、データレイアウト設計データ６２、レイアウト設計データ６３、テキスト処理設計データ６４、品目情報データ６５を有する設計書情報６１をデータベース６０に登録する。レイアウト設計装置２０は、データベース６０から設計書情報６１を読み出すと、レイアウト設計ツール２１のオブジェクトを自動的に表示し、ユーザはレイアウト設計データ６３の編集が可能となる。また、バリアブルテキスト整形装置３０は、データベース６０から設計書情報６１を読み出すと、テキストデータ整形ツール３３のテキスト整形の変換処理のフローを自動的に表示し、ユーザはテキスト処理設計データ６４の編集が可能となる。バリアブルプリントシステム１は、従来のレイアウト設計書と印字設計書の二つの設計書に相当する設計書情報６１をデータベース６０で一元管理し、レイアウト設計装置２０のレイアウト設計ツール２１、バリアブルテキスト整形装置３０のテキストデータ整形ツール３３の機能によって、自動的にデータを表示することにより、ユーザによる初期データの入力作業が不要となり、作業負荷が軽減される。
【００７４】
また、設計書情報６１の検索のキーワードとなる得意先、品目名、担当者を品目情報データ６５として設定することにより、設計書作成装置１０、レイアウト設計装置２０、バリアブルテキスト整形装置３０における設計書情報６１の検索を容易となる。
更に、設計書情報６１の編集可否情報を設定することにより、品目の再利用、編集を制御することができる。
【００７５】
以上、添付図面を参照しながら、本発明に係るバリアブルプリントシステム等の好適な実施形態について説明したが、本発明は係る例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【００７６】
１………バリアブルプリントシステム
１０………設計書作成装置
１１………デジタル設計書作成ツール
２０………レイアウト設計装置
２１………レイアウト設計ツール
２２………レイアウト定義ファイル
２３………変換ツール
２４………レイアウトデータ
３０………バリアブルテキスト整形装置
３１………バリアブルテキストデータ
３２………第１トランザクションデータ
３３………テキストデータ整形ツール
４０………バリアブル画像編集装置
４１………バリアブル画像素材データ
４２………ＤＴＰソフト
５０………合成装置
５１………レイアウトデータ
５２………第２トランザクションデータ
５３………画像データ
５４………印刷データ生成ツール
６０………データベース
６１………設計書情報
７０………プリンタ
【図１】
2012113574.tif 000003
【図２】
2012113574.tif 000004
【図３】
2012113574.tif 000005
【図４】
2012113574.tif 000006
【図５】
2012113574.tif 000007
【図６】
2012113574.tif 000008
【図７】
2012113574.tif 000009
【図８】
2012113574.tif 000010
【図９】
2012113574.tif 000011
【図１０】
2012113574.tif 000012
【図１１】
2012113574.tif 000013
【図１２】
2012113574.tif 000014
【図１３】
2012113574.tif 000015
【図１４】
2012113574.tif 000016
【図１５】
2012113574.tif 000017
【図１６】
2012113574.tif 000018
【図１７】
2012113574.tif 000019